(57)【特許請求の範囲】
【請求項１】
前面に複数のブラシピンが突出状に形成されるとともに、前面中央部に化粧剤吐出用のスリット状の吐出口が形成されたブラシ台を有し、内部に化粧剤供給用の供給通路が形成されたブラシに、エアゾール容器を一体的に取付けたエアゾール容器一体型化粧剤塗布具に対して、着脱自在に取付けられる補助クシであって、
基端部にブラシ台の吐出口に内嵌装着される接続部が形成され、内部に供給通路に連なる延長通路が形成され、先端部に化粧剤吐出用のスリット状の開口部が形成され、接続部をブラシ台の吐出口に嵌合させた状態で先端部がブラシピンの先端よりも前側へ突出する長さを有する通路形成部と、
前記通路形成部のスリット状の開口部に沿って配列され、通路形成部の先端部から突出状に延びる複数のクシ歯からなるクシ部と、
を備えたエアゾール容器一体型化粧剤塗布具の補助クシ。
【請求項２】
スリット状の開口部の両側に２列のクシ部を形成し、一方のクシ部に高さの高い複数のクシ歯を設けた請求項１記載のエアゾール容器一体型化粧剤塗布具の補助クシ。
【請求項３】
通路形成部の横倒れを防止する横倒れ防止手段を設けた請求項１又は２記載のエアゾール容器一体型化粧剤塗布具の補助クシ。
【請求項４】
横倒れ防止手段として、通路形成部にその先端近傍部からブラシピンを覆うように延びるスカート部を設け、スカート部の裾部をブラシ台の外周部に外嵌可能に構成した請求項３記載のエアゾール容器一体型化粧剤塗布具の補助クシ。
【請求項５】
横倒れ防止手段として、通路形成部の基端近傍部に鍔部を形成し、この鍔部にブラシピンが挿通する複数の挿通孔を形成した請求項３記載のエアゾール容器一体型化粧剤塗布具の補助クシ。
【発明の詳細な説明】
【０００１】
【発明の属する技術分野】
本発明は、染毛剤、脱色剤等の毛髪化粧剤を、毛髪の生え際や分け際などに対してポイント塗布するときに用いるエアゾール容器一体型化粧剤塗布具の補助クシに関する。
【０００２】
【従来の技術】
毛髪化粧剤には染毛剤、脱色剤等、様々なものがあるが、これらを毛髪に塗布するにあたっては、手が汚れるという問題があり、従来より手を汚すことなくこれら化粧剤を塗布するための工夫が種々試みられている。特に染毛剤は、汚れが落ちにくい上に、薬液を容器に少量移して使用する関係上、容器の洗浄も必要なことから、取扱いが煩わしく、上記開発に対する期待は大きい。
【０００３】
例えば上記期待に応える製品としては、クシにエアゾール容器を一体化させたエアゾール容器一体型化粧剤塗布具がある。この製品はエアゾール容器に染毛剤と液化石油ガスやジメチルエーテル等の噴射剤を混合充填し、噴射剤の膨張圧によって発泡させた染毛剤をクシに設けた吐出口から吐出させ、吐出した染毛剤をそのままクシを用いて髪全体に延ばして使用するというものである。
【０００４】
ところで、前述のエアゾール容器一体型化粧剤塗布具では、液垂れを極力防止するため、クシの基端部や途中部から染毛剤を吐出させている関係上、この化粧剤塗布具だけでは、生え際や分け際まで染毛剤を綺麗に塗布できないことがある。このため、通常、生え際や分け際等のポイント部分塗布専用の補助クシを付属させ、エアゾール容器からクシに吐出させた染毛剤を補助クシですくい取ってポイント部分に塗布するように構成されている。
【０００５】
【発明が解決しようとする課題】
前述のエアゾール容器一体型化粧剤塗布具では、生え際や分け際等のポイント部分に対しては、補助クシで染毛剤を塗布することになるので、ポイント部分の塗布に関してはクシにエアゾール容器を一体化させたことによるメリットは得られない。特に、毛髪の成長に応じて、２〜３日毎に生え際や分け際のみに染毛剤を塗布するユーザーにとっては、クシにエアゾール容器を一体化させたことによるメリットは全く得られないことになる。
【０００６】
本発明の目的は、生え際や分け際等のポイント部分に対する毛髪化粧剤の塗布を毛髪全体に塗布する場合と同様に簡便に行えるようにしたエアゾール容器一体型化粧剤塗布具の補助クシを提供することである。
【０００７】
【課題を解決するための手段】
請求項１に係るエアゾール容器一体型化粧剤塗布具の補助クシは、前面に複数のブラシピンが突出状に形成されるとともに、前面中央部に化粧剤吐出用のスリット状の吐出口が形成されたブラシ台を有し、内部に化粧剤供給用の供給通路が形成されたブラシに、エアゾール容器を一体的に取付けたエアゾール容器一体型化粧剤塗布具に対して、着脱自在に取付けられる補助クシであって、基端部にブラシ台の吐出口に内嵌装着される接続部が形成され、内部に供給通路に連なる延長通路が形成され、先端部に化粧剤吐出用のスリット状の開口部が形成され、接続部をブラシ台の吐出口に嵌合させた状態で先端部がブラシピンの先端よりも前側へ突出する長さを有する通路形成部と、前記通路形成部のスリット状の開口部に沿って配列され、通路形成部の先端部から突出状に延びる複数のクシ歯からなるクシ部とを備えたものである。
【０００８】
請求項２記載のように、スリット状の開口部の両側に２列のクシ部を形成し、一方のクシ部に高さの高い複数のクシ歯を設けること、請求項３記載のように、通路形成部の横倒れを防止する横倒れ防止手段を設けること、などが好ましい実施例である。
また、横倒れ防止手段としては、請求項４記載のように、通路形成部にその先端近傍部からブラシピンを覆うように延びるスカート部を設け、スカート部の裾部をブラシ台の外周部に外嵌可能に構成してもよいし、請求項５記載のように、通路形成部の基端近傍部に鍔部を形成し、この鍔部にブラシピンが挿通する複数の挿通孔を形成してもよい。
【０００９】
【作用】
請求項１に係るエアゾール容器一体型化粧剤塗布具の補助クシにおいては、ブラシ台に形成された化粧剤吐出用のスリット状の吐出口に、通路形成部の接続部を嵌合装着して、補助クシをブラシ台に取付け、この状態でエアゾール容器内の化粧剤をブシラの供給通路と通路形成部の延長通路とを経て通路形成部のスリット状の開口部から吐出させてクシ部に適量付着させ、クシ部で生え際や分け際などのポイント部分の毛髪をブラッシングすることで、ポイント部分に化粧剤を塗布することになる。
また、通路形成部は、接続部をブラシ台の吐出口に嵌合させた状態で先端部がブラシピンの先端よりも前側へ突出する長さに設定されているので、補助クシの使用時にブラシピンが邪魔になることもない。
【００１０】
ここで、請求項２記載のように構成すると、開口部から吐出した化粧剤は、スリット状の開口部の両側に形成した２列のクシ部間に保持されることになる。また、一方のクシ部に高さの高い複数のクシ歯を設けてあるので、このクシ歯の先端を地肌に当てて、化粧剤と地肌までの距離を調整し、ポイント部分に対する化粧剤の塗布量を調整しながら塗布してもよい。
【００１１】
請求項３記載のように構成すると、使用時における補助クシの横倒れが防止されることになる。
請求項４記載の補助クシにおいては、クシ部やスカート部を手指で保持した状態で、接続部を吐出口に嵌合させるとともに裾部をブラシ台の外周部に嵌合させて、補助クシをブラシに取付けることになる。そして、補助クシをブラシに取付けると、複数のブラシピンがスカート部で覆われることになる。
請求項５記載の補助クシにおいては、鍔部に形成した挿通孔に対してブラシピンを装着して、補助クシをブラシに固定することになる。
【００１２】
【発明の実施の形態】
以下、本発明の実施の形態について図面を参照しながら説明する。
本実施の形態は、化粧剤として染毛剤を塗布するエアゾール容器一体型染毛剤塗布具（以下、単に染毛剤塗布具という）の補助クシに本発明を適用した場合のものである。
染毛剤塗布具１は、図１、図２に示すように、基本的には、ブラシ２とそれに一体的に取付けられたエアゾール容器３とから構成されている。また、この染毛剤塗布具１は、付属品として後述の補助クシ３０とキャップ１８を備えている。
【００１３】
エアゾール容器３は、染毛剤４が充填された可撓性を有する合成樹脂材料製のインナーバック５と、インナーバック５を囲繞する外容器６と、外容器６の上壁部を貫通して設けられ、途中部に図示外の弁体が介設された導出管７とを備えている。そして、後述の操作部材１１を押下して弁体を開放することで、外容器６とインナーバック５間の加圧ガス室８に封入した加圧ガスのガス圧でインナーバック５が収縮し、インナーバック５内に充填された染毛剤４が導出管７を通って外部に排出されるように構成されている。
【００１４】
図例のエアゾール容器３は、外容器６とインナーバック５の二重構造であるが、二重以上の多重構造のエアゾール容器や、染毛剤と噴射剤を混合封入した外容器のみからなるエアゾール容器を用いることも可能である。
【００１５】
ブラシ２について説明すると、図１〜図３に示すように、エアゾール容器３の上端部を保持して上方へ延びる首部１０が形成され、首部１０の下端近傍部内には弁体を開放操作するための操作部材１１が取付けられている。首部１０の上端部にはブラシ台１２が設けられ、ブラシ台１２の前面の幅方向略中央部にはスリット状の吐出口１３が形成され、ブラシ台１２の前面側には吐出口１３を取り囲むように所定の配列で複数のブラシピン１４が突出状に形成され、これら複数のブラシピン１４からブラシ部１５が形成されている。
【００１６】
ブラシ部１５の吐出口１３付近のブラシピン１４は、外周部の他のブラシピン１４よりも短く設定され、吐出口１３から吐出される染毛剤４を外周部のブラシピン１４で効率的に保持出来るように構成されている。また、ブラシ部１５の下部のブラシピン１４は隣接するブラシピン１４間の距離が短く設定され、ブラシ部１５に吐出させた染毛剤４の液垂れを防止するように構成されている。
首部１０内には導出管７に連なる供給通路１６が形成され、ブラシ台１２の内部には染毛剤４を滞留させるための中空の滞留部１７が形成され、導出管７から排出される染毛剤４は、供給通路１６と滞留部１７を経て吐出口１３から吐出され、ブラシ部１５に保持されるように構成されている。
【００１７】
次に、ブラシ台１２に着脱自在に取付けられる、染毛剤塗布具１の付属品として補助クシ２０について説明する。
この補助クシ２０は合成樹脂材料製の一体成形品からなり、図１、図２、図４〜図６に示すように、内部に延長通路２１が形成された平板状の通路形成部２２が設けられ、通路形成部２２の基端部にはブラシ台１２の吐出口１３に液密状に内嵌装着される接続部２３が形成されている。通路形成部２２の長さは、接続部２３をブラシ台１２の吐出口１３に嵌合させた状態で先端部がブラシピン１４の先端よりも前側へ突出する長さに設定され、通路形成部２２の先端部にはスリット状の開口部２４が形成されている。尚、符号２５は、延長通路２１の一側部を閉鎖して、開口部２４の開口長さを吐出口１３よりも短く設定するための壁部である。
【００１８】
通路形成部２２の先端近傍部にはブラシ部１５を囲繞可能なドーム状のスカート部２６が連結され、スカート部２６の裾部２７はブラシ台１２の外周部に外嵌可能に構成されている。ブラシ台１２の外周部には段部２８が形成され、裾部２７をブラシ台１２に嵌合させた状態で、裾部２７の外面がブラシ台１２の外面に滑らかに連なるように構成されている。また、ブラシ台１２と裾部２７との嵌合を強固にするため、段部２８には突条２９が所定間隔おきに形成されている。但し、接続部２３と吐出口１３との接続関係が強固な場合には、このスカート部２６は省略してもよい。また、スカート部２６と通路形成部２２とは別部材で構成してもよい。
【００１９】
通路形成部２２の先端部にはスリット状の開口部２４の両側に沿って配列され２列のクシ部３１、３２が突出状に形成されている。一方のクシ部３１は両側２対が短尺なクシ歯３０ａで、またその他の部分は長尺なクシ歯３０ｂで構成され、他方のクシ部３２は短尺なクシ歯３０ａで構成されている。また、クシ歯３０ｂ群の両端のクシ歯３０ｂは厚肉に構成され、これにより長尺なクシ歯３０ｂ群の横倒れが防止されている。但し、両クシ歯３０ａ、３０ｂは同高に設定してもよいし、クシ歯３０ａ、３０ｂを交互に配置させてもよい。
【００２０】
また、染毛剤塗布具１には、図７、図８に示すように、ブラシ台１２に着脱自在に取付けられるキャップ１８が設けられ、キャップ１８の内側にはブラシ台１２に開設したスリット状の吐出口１３に嵌入して吐出口１３を封止するための封止板１９が形成され、キャップ１８をブラシ台１２に外嵌装着して封止板１９で吐出口１３を閉止することで、滞留部１７及び供給通路１６に充填されている染毛剤４の乾燥固化が防止される。
【００２１】
次に、補助クシ２０の作用、効果について説明する。
この補助クシ２０を用いて毛髪の生え際や分け際などに対して染毛剤４をポイント塗布するときには、図５、図６に示すように、接続部２３を吐出口１３に内嵌装着するとともに、スカート部２６の裾部２７を段部２８に嵌合させてブラシ台１２に取付ける。そして、操作部材１１を押下することで、インナーバック５内の染毛剤４を、導出管７、供給通路１６、滞留部１７、延長通路２１を経て、補助クシ２０のスリット状の開口部２４から吐出させ、両クシ部３１、３２間に適量の染毛剤４を吐出させた状態で、毛髪の所望部分をクシ部３１、３２でブラッシングして、クシ部３１、３２間に保持させた染毛剤４を塗布することになる。尚、毛髪全体に対して染毛剤４を塗布するときには、ブラシ台１２から補助クシ２０を取り外した状態で、操作部材１１を操作して、吐出口１３から染毛剤４を吐出させてブラシ部１５に染毛剤４を保持させ、この状態でブラッシングして、染毛剤４を髪全体に塗布することになる。
【００２２】
このように、ブラシ台１２に対して着脱可能な簡単な構成の補助クシ２０を用いることで、髪全体に染毛剤４を塗布する場合と同様に、生え際や分け際などに対して簡便に染毛剤４を塗布することが可能となる。
また、通路形成部２２の接続部２３をブラシ台１２の吐出口１３に嵌合させるとともに、ブラシ台１２の外周部にスカート部２６の裾部２７を嵌合させて、補助クシ２０をブラシ台１２に固定するので、補助クシ２０とブラシ台１２との接触面積を大きく設定することが可能で、ブラシ台１２に対する補助クシ２０の取付け強度を容易に高めることが可能となる。
【００２３】
更に、補助クシ２０の使用時には、スカート部２６でブラシ部１５が囲繞され、補助クシ２０のクシ部３１、３２のみが露出することになるので、補助クシ２０の取扱いが容易になり、外観も向上する。
更にまた、ブラシ部１５にて染毛剤４を塗布した後、補助クシ２０で生え際や分け際などに対して染毛剤４を塗布する場合でも、ブラシ部１５等に付着した染毛剤４により手指を汚すことはない。
【００２４】
また、補助クシ２０のスリット状の開口部２４から吐出した染毛剤４が２列のクシ部３１、３２間に保持されるので、染毛剤４の液垂れを防止することが可能となる。しかも、クシ部３１に長尺なクシ歯３０ｂを設けてあるので、クシ歯３０ｂの先端を地肌に当接させた状態で、地肌に対するクシ部３１、３２の傾斜角度を調整することで、ポイント部分に対する染毛剤４の塗布量を調整することが可能となる。
【００２５】
前記実施例の補助クシ２０の変形例として、図９に示す補助クシ２０Ａのように、スカート部２６を省略し、通路形成部２２の基端近傍部に鍔部４０を形成するとともに、鍔部４０にブラシピン１４が挿通する複数の挿通孔４１を形成してもよい。この場合には、複数のブラシピン１４を挿通孔４１に挿通させることで、補助クシ２０がブラシ台１２に固定されることになる。また、補助クシ２０の横倒れを防止するための手段としては、前述のように通路形成部２２にスカート部２６や鍔部４０を設ける以外に、補強用のブラケットやブラシ台１２を挟持する挟持部を形成してもよい。
【００２６】
尚、本実施の形態では、染毛剤４を塗布するための染毛剤塗布具１の補助クシ２０に本発明を適用したが、生え際や分け際への塗布を必要とする、例えば脱色剤等の毛髪化粧剤を塗布するための化粧剤塗布具の補助クシに対しても本発明を同様に適用出来る。
【００２７】
【発明の効果】
請求項１に係るエアゾール容器一体型化粧剤塗布具の補助クシによれば、ブラシで毛髪全体に化粧剤を塗布するときと同様に、補助クシを用いて生え際や分け際などのポイント部分に化粧剤を塗布することが可能となり、ポイント部分に対する塗布を簡便に行うことが可能となる。
【００２８】
請求項２記載のように構成すると、開口部から吐出した化粧剤が２列のクシ部間に保持されるので、化粧剤の液垂れを防止することが可能となる。また、一方のクシ部に高さの高い複数のクシ歯を設けてあるので、一方のクシ部の先端を地肌に当接させた状態で、クシ部の傾斜角度を調整することで、ポイント部分に対する化粧剤の塗布量を調整することが可能となる。
【００２９】
請求項３記載のように構成すると、使用時における補助クシの横倒れが防止され、補助クシの操作性が向上する。
請求項４記載のような構成の横倒れ防止手段を用いると、スカート部でブラシピンが覆われるので、ブラシピンが露出することによる補助クシの使用時の外観低下を防止出来る。また、クシ部やスカート部を保持した状態で、補助クシをブラシに取付けるので、手指を汚すことなく補助クシを取付けることが可能となる。更に、スカート部の裾部をブラシ台に嵌合させるので、ブラシと補助クシとの接触面積を大きくして、補助クシの安定性を容易に向上出来る。
請求項５記載のような構成の横倒れ防止手段を用いると、ブラシピンを有効活用して補助クシを固定することが可能となる。
【図面の簡単な説明】
【図１】本発明に係る化粧剤塗布具及び補助クシの側面図
【図２】同化粧剤塗布具及び補助クシの要部縦断面図
【図３】同化粧剤塗布具のブラシ台の正面図
【図４】同補助クシの一部切欠正面図
【図５】同化粧剤塗布具のブラシ台及び補助クシの縦断面図
【図６】図５のＶＩ−ＶＩ線断面図
【図７】同化粧剤塗布具のブラシ台付近及びキャップの側面図
【図８】同化粧剤塗布具のブラシ台及びキャップの横断面図
【図９】別構成の補助クシ及びブラシ台の横断面図
【符号の説明】
１      染毛剤塗布具          ２      ブラシ
３      エアゾール容器        ４      染毛剤
５      インナーバック        ６      外容器
７      導出管                ８      加圧ガス室
１１    操作部材                １０    首部
１２    ブラシ台              １３    吐出口
１４    ブラシピン            １５    ブラシ部
１６    供給通路              １７    滞留部
１８    キャップ              １９    封止板
２０    補助クシ              ２１    延長通路
２２    通路形成部            ２３    接続部
２４    開口部                ２５    壁部
２６    スカート部            ２７    裾部
２８    段部                  ２９    突条
３０ａ  クシ歯                ３０ｂ  クシ歯
３１    クシ部                ３２    クシ部
２０Ａ  補助クシ              ４０    鍔部
４１    挿通孔
【図１】
0003633053.tif 000002
【図２】
0003633053.tif 000003
【図３】
0003633053.tif 000004
【図４】
0003633053.tif 000005
【図５】
0003633053.tif 000006
【図６】
0003633053.tif 000007
【図７】
0003633053.tif 000008
【図８】
0003633053.tif 000009
【図９】
0003633053.tif 000010